(57)【要約】【課題】設置スペースが小さくても多くの光学系を設置可能な光学装置拡張用支援装置を提供する。【解決手段】除震台９の設置面９ａに設置される顕微鏡１０に結合可能なベース本体３１を、設置面９ａに対してほぼ垂直に設置する。顕微鏡１０に組合せ可能なガルバノスキャナ６４等の複数の拡張用光学装置を設置面９ａの垂直方向へ多段に配置するレール３２〜３６をベース本体３１に設ける。【選択図】図１
2008009204.tif 000002
【特許請求の範囲】
【請求項１】
設置面に対してほぼ垂直に設置され、前記設置面に設置される光学装置に結合可能なベース本体と、
前記ベース本体に設けられ、前記光学装置に組合せ可能な複数の拡張用光学装置を前記設置面のほぼ垂直方向へ多段に配置する配置機構と
を備えていることを特徴とする光学装置拡張用支援装置。
【請求項２】
前記配置機構は、前記設置面に対してほぼ垂直な面に配置され、前記複数の拡張用光学装置を前記設置面に対してほぼ平行移動可能に支持する複数のレールを有することを特徴とする請求項１記載の光学装置拡張用支援装置。
【請求項３】
前記ベース本体に設けられ、前記ベース本体を前記光学装置に結合したときに前記光学装置側の光軸と前記拡張用光学装置側の光軸とを一致させる結合部とを備えていることを特徴とする請求項１又は２記載の光学装置拡張用支援装置。
【発明の詳細な説明】
【技術分野】
【０００１】
この発明は例えば顕微鏡に拡張用の光学装置を組み合わせるときに有用な光学装置拡張支援装置に関する。
【背景技術】
【０００２】
従来、生物観察用の倒立型顕微鏡が知られている（下記特許文献１、２参照）。
【０００３】
一般にこの種の倒立型顕微鏡に、細胞内の微小物体を操作するためのレーザーマニピュレータや全反射照明による高ＳＮ蛍光観察を行うための光学系を組み合わせることがある。
【特許文献１】特開平１０−２８２４３０号公報
【特許文献２】特開平８−４３７４１号公報
【発明の開示】
【発明が解決しようとする課題】
【０００４】
上述のレーザーマニピュレータや高ＳＮ蛍光観察用の光学系は、ベース（例えば除震台）上に設置された顕微鏡を取り囲むように配置される。
【０００５】
このため、拡張用の光学素子を顕微鏡に組み合わせるためには大きな設置スペースが必要になるという問題があった。
【０００６】
この発明はこのような事情に鑑みてなされたもので、その課題は、小さな設置スペースに多くの拡張用光学装置を設置可能な光学装置拡張用支援装置を提供することである。
【課題を解決するための手段】
【０００７】
前述の課題を解決するため請求項１の発明の光学装置拡張用支援装置は、設置面に対してほぼ垂直に設置され、前記設置面に設置される光学装置に結合可能なベース本体と、前記ベース本体に設けられ、前記光学装置に組合せ可能な複数の拡張用光学装置を前記設置面のほぼ垂直方向へ多段に配置する配置機構とを備えていることを特徴とする。
【０００８】
請求項２の発明は、請求項１記載の光学装置拡張用支援装置において、前記配置機構は、前記設置面に対してほぼ垂直な面に配置され、前記複数の拡張用光学装置を前記設置面に対してほぼ平行移動可能に支持する複数のレールを有することを特徴とする。
【発明の効果】
【０００９】
この発明によれば、小さな設置スペースに多くの光学装置を設置することができる。
【発明を実施するための最良の形態】
【００１０】
以下、この発明の実施の形態を図面に基づいて説明する。
【００１１】
図１はこの発明の一実施形態に係る光学装置用ベース及びそれに結合された顕微鏡の平面図、図２は図１に示す光学装置用ベースの背面図、図３は図２のＡ−Ａ線に沿う断面を示す概念図、図４は図１に示す光学装置用ベースから顕微鏡を外した状態を示す側面図である。
【００１２】
図１〜３に示すように、光学装置用ベース（光学装置拡張用支援装置）３０は顕微鏡１０（光学装置）に結合される。
【００１３】
顕微鏡１０は、ステージ１１、第１対物レンズ１２、フィルタブロック１３、第２対物レンズ１４、プリズム１５，１６、ミラー１７、接眼レンズ１８等を有する。ステージ１１上には細胞２２が収容されたシャーレ２１が配置されている。
【００１４】
光学装置用ベース３０はベース本体３１と複数のレール（配置機構）３２〜３６とを有する。ベース本体３１は除震台９の設置面９ａ上に配置されている（図１参照）。ベース本体３１の背面（配置面３１ａ）は除震台９の設置面９ａに対してほぼ垂直である。
【００１５】
レール３２はベース本体３１の配置面３１ａの上部に設けられている。レール３３，３４はベース本体３１の配置面３１ａの高さ方向の中間部に設けられている。レール３５，３６は、ベース本体３１の配置面３１ａの下部に設けられている。レール３２〜３６はほぼ水平方向へ延びている。レール３２〜３６の断面形状はほぼ逆台形状であり、その幅寸法は配置面３１ａから離れるにしたがって大きくなる。ベース本体３１の正面には、顕微鏡１０等の光学装置に対する結合用のレンズ（結合部）３８が設けられている。
【００１６】
ベース本体３１の上面には支柱４１が結合されている。支柱４１の正面にはレール４２が設けられ、支柱４１の背面にはレール４３が設けられている。レール４２，４３はほぼ鉛直方向へ延びている。レール４２，４３の断面形状はレール３２〜３６の断面形状と同様である。
【００１７】
ベース本体３１の配置面３１ａの下部には脚４５が結合されている。脚４５はベース本体３１をその背面から支える。脚４５の上面にはレール４６が設けられている。
【００１８】
支柱４１のレール４２には透過照明投光管５１及びコンデンサレンズ５２が移動可能に装着されている。支柱４１のレール４３には全反射照明装置用光学装置５３が移動可能に装着されている。全反射照明用光学装置５３は光ファイバ５４を介して光源（図示せず）に接続されている。
【００１９】
光学装置用ベース３０のレール３２には、レーザ光源６１、ビームエキスパンダ６２、ビームスプリッタ６３及びガルバノスキャナ６４がレール３２の長手方向へ移動可能に装着されている。
【００２０】
光学装置用ベース３０のレール３３には、水銀ランプハウス６５及び落射照明装置６６がレール３３の長手方向へ移動可能に装着されている。
【００２１】
光学装置用ベース３０のレール３４には、ミラー６７、ビームスプリッタ６８及びガルバノスキャナ６９がレール３４の長手方向へ移動可能に装着されている。
【００２２】
光学装置用ベース３０のレール３６には、ガルバノスキャナ７１，７２がレール３６の長手方向へ移動可能に装着されている。
【００２３】
脚４５のレール４６には、２つのダイクロイックミラー７３，７４及びハーフミラー７５がレール４６の長手方向へ移動可能に装着されている（図１参照）。
【００２４】
この実施形態では、上記レーザー光源６１、ビームエキスパンダ６１、ビームスプリッタ６３，６８、ガルバノスキャナ６４，６９，７１，７２、ミラー７３，７４、ミラー６７、ダイクロイックミラー７５、水銀ランプハウス６５、落射照明装置６６等は拡張用光学装置に該当する。
【００２５】
次に、光学装置用ベース３０の配置面３１ａに配置されたレーザ光源６１の拡張用光学装置を用いた観察法の一例について説明する。
【００２６】
波長が近赤外域にあるレーザ光源６１から出射されたレーザービーム（非可視光線）はビームエキスパンダ６２を通過し、ビームスプリッタ６３で２つのビームに分割される。一方のビームはガルバノスキャナ６４，６９で反射され、ビームスプリッタ６８を透過し、ミラー６７で反される。他方のビームはガルバノスキャナ７１，７２で反射され、更にビームスプリッタ６８で反射され、ミラー６７で一方のビームとともに反射される。この２つのビームはミラー７３，７４で反射され、ダイクロイックミラー７５を透過し、顕微鏡１０へ出射される。このとき、水銀ランプハウス６５から出射された励起光は、落射照明装置６６を通り、ダイクロイックミラー７５で反射され、２つのビームと合成される。
【００２７】
このビームと励起光とはレンズ３８を通り、フィルタブロック１３のダイクロイックミラーで反射され、対物レンズ１２を介してシャーレ２１内の予め蛍光色素で染色された細胞２２に照射される。このとき、ガルバノスキャナ６４，６９及びガルバノスキャナ７１，７２の向きを変えて２つのビームの方向を変えることによって、観察視野内の微小物質を移動させることができる。
【００２８】
細胞２２内に染色された蛍光は第１対物レンズ１２で平行光となり、フィルタブロック１３を通過し、第２対物レンズ１４で細胞２２の像が結像される。また、この像はプリズム１５，１６及びミラー１７で接眼レンズ１８に導かれ、接眼レンズ１８で拡大されて観察される。
【００２９】
以上の観察法以外に、全反射照明用光学装置５３から出射された光を用いた観察法や、透過照明投光管５１から出射された光を用いた通常の観察法も行うことができる。
【００３０】
図４に示すように、光学装置用ベース３０に対して顕微鏡１０を着脱可能である。したがって、顕微鏡１０を他の顕微鏡に変えたり、顕微鏡以外の光学装置と組み合わせたりすることができる。このとき、光学装置用ベース３０の正面の結合用のレンズ３８を通じて顕微鏡１０等の光学装置との光軸あわせを簡単に行うことができる。
【００３１】
この実施形態によれば、設置面９ａにほぼ垂直な配置面３１ａ上にガルバノスキャナ等の拡張用光学装置をほぼ垂直方向へ多段に配置することができるので、大きな設置スペースがなくとも顕微鏡１０に多くの拡張用光学装置を組み合わせることができる。
【図面の簡単な説明】
【００３２】
【図１】図１はこの発明の一実施形態に係る光学装置用ベース及びそれに結合された顕微鏡の平面図である。
【図２】図２は図１に示す光学装置用ベースの背面図である。
【図３】図３は図２のＡ−Ａ線に沿う断面を示す概念図である。
【図４】図４は図１に示す光学装置用ベースから顕微鏡を外した状態を示す側面図である。
【符号の説明】
【００３３】
１０：顕微鏡、３０：光学装置用ベース（光学装置拡張用支援装置）、３２，３３，３４，３５，３６：レール（配置機構）、６１：レーザ光源、６２：ビームエキスパンダ、６３、６８：ビームスプリッタ、６４、６９，７１，７２：ガルバノスキャナ、６５：水銀ランプハウス、６６：落射照明装置、６７：ミラー、７３，７４：ミラー、７５：ダイクロイックミラー。
【図１】
2008009204.tif 000003
【図２】
2008009204.tif 000004
【図３】
2008009204.tif 000005
【図４】
2008009204.tif 000006